(57)【要約】【課題】光損失を増加することなく捩れない状態で保持して、所望の長さだけ自由に取り出すことのできる光ファイバ収納具および光ファイバの収納方法を提供する。【解決手段】折り込み方向が交互で開閉自在な折り畳みシート１１の隣り合って対向するシート面１２により、光ファイバ１００を挟み込むように位置規制するので、光ファイバ１００を確実に収納することができる。また、折り畳みシート１１を開いて所望の長さの光ファイバ１００を引き出し、折り畳みシート１１を閉じることにより所望の長さの光ファイバ１００を引き出して使用することができる。また、折り畳みシート１１を畳んだ状態で、所望の場所へ容易に移動することができる。【選択図】　　　　図１
2004029444.tif 000002
【特許請求の範囲】
【請求項１】
折り込み方向が交互で開閉自在な折り畳みシートの隣り合って対向するシート面により、光ファイバを挟み込むように位置規制することを特徴とする光ファイバ収納具。
【請求項２】
前記各折り畳みシートにおける稜線に、前記光ファイバを引っ掛ける切欠きが設けられていることを特徴とする請求項１に記載した光ファイバ収納具。
【請求項３】
前記折り畳みシートには、該折り畳みシートを他の部材に固定するための固定手段が設けられていることを特徴とする請求項１または２に記載した光ファイバ収納具。
【請求項４】
前記固定手段が、前記光ファイバの端部に取り付けられた着脱自在のコネクタであることを特徴とする請求項３に記載した光ファイバ収納具。
【請求項５】
前記折り畳みシートを閉じた状態で保持する保持手段を特徴とする請求項１から４のいずれかに記載した光ファイバ収納具。
【請求項６】
前記折り畳みシートのシート面には、前記光ファイバを保持する光ファイバ係止片が突出して設けられていることを特徴とする請求項１から５のいずれかに記載した光ファイバ収納具。
【請求項７】
前記光ファイバ係止片が、前記折り畳みシートを打ち抜き加工して形成されていることを特徴とする請求項６に記載した光ファイバ収納具。
【請求項８】
前記折り畳みシートが透明であることを特徴とする請求項１から７のいずれかに記載した光ファイバ収納具。
【請求項９】
請求項１から７のいずれかに記載した光ファイバ収納具を備えたことを特徴とする光ファイバ収納トレイ。
【請求項１０】
折り込み方向が交互で開閉自在な折り畳みシートの隣り合って対向するシート面により、光ファイバを挟み込むように位置規制して収納することを特徴とする光ファイバの収納方法。
【請求項１１】
前記光ファイバを、前記対向するシート面間に捩れないように８の字状に収納することを特徴とする請求項１０に記載した光ファイバの収納方法。
【発明の詳細な説明】
【０００１】
【発明の属する技術分野】
この発明は、捻れないように光ファイバを収納する光ファイバ収納具および光ファイバの収納方法に関する。
【０００２】
【従来の技術】
従来より、光ファイバを収納する際には、図１３に示すように、光ファイバ１００が捻れないように８の字状に巻くことが、行われている。従って、光ファイバ１００の束１０１から光ファイバ１００を引き出す際には、８の字ごとに引き出して伸ばすことにより、光ファイバ１００は捻れずに真っ直ぐに引き出すことができる。
【０００３】
【発明が解決しようとする課題】
しかしながら、８の字形状の光ファイバ１００は治具等によって保持されているわけではないので、８の字形状を保持するのが困難であるという問題がある。また、光ファイバ１００を両端から引き出す際には、光ファイバ１００の束１０１が重なっているため、特に下になっている側の端部から光ファイバ１００を引き出すのが困難であるという問題もある。さらに、光ファイバ１００は、光損失が増加しない許容曲げ半径（例えば半径３０ｍｍ）以上を確保しなければならないため、収納スペースが大きくなるという問題がある。
【０００４】
本発明は、前述した問題点に鑑みてなされたものであり、その目的は、光損失を増加することなく捩れない状態で保持して、自由に取り出すことのできる光ファイバ収納具および光ファイバの収納方法を提供することにある。
【０００５】
【課題を解決するための手段】
前述した目的を達成するために、本発明にかかる光ファイバ収納具は、請求項１に記載したように、折り込み方向が交互で開閉自在な折り畳みシートの隣り合って対向するシート面により、光ファイバを挟み込むように位置規制することを特徴としている。
【０００６】
このように構成された光ファイバ収納具においては、交互に蛇腹上に折り込まれた折り畳みシートの対向するシート面間に収納領域を形成して光ファイバを保持するので、光ファイバを確実に収納することができる。また、折り畳みシートを開いて所望の長さの光ファイバを引き出し、折り畳みシートを閉じることにより所望の長さの光ファイバを使用することができる。また、折り畳みシートを畳んだ状態で、所望の場所へ容易に移動することができる。
【０００７】
また、本発明にかかる光ファイバ収納具は、請求項２に記載したように、請求項１に記載した光ファイバ収納具において、前記各折り畳みシートにおける稜線に、前記光ファイバを引っ掛ける切欠きが設けられていることを特徴としている。
【０００８】
また、本発明にかかる光ファイバ収納具は、請求項３に記載したように、請求項１または２に記載した光ファイバ収納具において、前記折り畳みシートには、該折り畳みシートを他の部材に固定するための固定手段が設けられていることを特徴としている。
【０００９】
また、本発明にかかる光ファイバ収納具は、請求項４に記載したように、請求項３に記載した光ファイバ収納具において、前記固定手段が、前記光ファイバの端部に取り付けられた着脱自在のコネクタであることを特徴としている。
【００１０】
また、本発明にかかる光ファイバ収納具は、請求項５に記載したように、請求項１から４のいずれかに記載した光ファイバ収納具において、前記折り畳みシートを閉じた状態で保持する保持手段を特徴としている。
【００１１】
また、本発明にかかる光ファイバ収納具は、請求項６に記載したように、請求項１から５のいずれかに記載した光ファイバ収納具において、前記折り畳みシートのシート面には、前記光ファイバを保持する光ファイバ係止片が突出して設けられていることを特徴としている。
【００１２】
また、本発明にかかる光ファイバ収納具は、請求項７に記載したように、請求項６に記載した光ファイバ収納具において、前記光ファイバ係止片が、前記折り畳みシートを打ち抜き加工して形成されていることを特徴としている。
【００１３】
また、本発明にかかる光ファイバ収納具は、請求項８に記載したように、請求項１から７のいずれかに記載した光ファイバ収納具において、前記折り畳みシートが透明であることを特徴としている。
【００１４】
また、本発明にかかるは、光ファイバ収納トレイは、請求項９に記載したように、請求項１から７のいずれかに記載した光ファイバ収納具を備えたことを特徴としている。
【００１５】
また、本発明にかかる光ファイバの収納方法は、請求項１０に記載したように、折り込み方向が交互で開閉自在な折り畳みシートの隣り合って対向するシート面により、光ファイバを挟み込むように位置規制して収納することを特徴としている。
【００１６】
また、本発明にかかる光ファイバの収納方法は、請求項１１に記載したように、請求項１０に記載した光ファイバの収納方法において、前記光ファイバを、前記対向するシート面間に捩れないように８の字状に収納することを特徴としている。
【００１７】
【発明の実施の形態】
以下、本発明に係る光ファイバ収納具および光ファイバの収納方法の実施の形態を図面に基づいて詳細に説明する。なお、以下に説明する実施の形態において、既に図１３において説明した部材等については、図中に同一符号あるいは相当符号を付すことにより説明を簡略化あるいは省略する。
【００１８】
図１に示すように、本発明に係る第１実施形態である光ファイバ収納具１０について説明する。この光ファイバ収納具１０では、シート状部材を折り込み方向が交互となるようにじゃばら状に複数回折り曲げることにより折り畳みシート１１が形成されている。従って、折り畳みシート１１の表裏どちらか一方の面において、隣り合うシート面１２ａ、１２ｂが対向することになり、対向するシート面１２ａ、１２ｂの間に形成される収納領域１３に光ファイバ１００が保持される。
【００１９】
光ファイバ１００は、捩れないように８の字状に巻かれており、例えば対向しているシート面１２ａ、１２ｂの間に１個の８の字状の光ファイバ１００が保持される。図１においては、折り曲げられた折り畳みシート１１を少し引き伸ばした（開けた）状態で示されているので、光ファイバ１００は交差していないが、折り畳みシート１１を折り畳むと光ファイバ１００は交差して８の字を形成することになる。
【００２０】
ここで、図２（Ｂ）に示すように、８の字状の光ファイバ１００の直径をＤとすると、シート面１２の幅はＤ、高さは２×Ｄ程度は必要である。従って、通常の光ファイバ１００においては、Ｄ＝６０ｍｍ程度であるので、シート面１２は幅６０ｍｍ以上、高さ１２０ｍｍ以上となる。
なお、光損失を発生しない曲げ半径が小さな光ファイバを使用することにより、８の字を小さくして光ファイバ収納具１０の小型化を図ることができる。また、隣り合うシート面１２ａ、１２ｂ間の収納領域１３に２個以上の８の字状の光ファイバ１００を保持することも可能である。
【００２１】
図２（Ａ）および（Ｂ）に示すように、折り畳みシート１１の稜線１１ａには、光ファイバ１００の位置決めをすると共に、稜線１１ａを越える際に光ファイバ１００が稜線１１ａによって急激に折り曲げられないようにするための切欠きである通過用切欠き１４が設けられている。従って、各シート面１２間の収納領域１３に収納されている光ファイバ１００は、通過用切欠き１４を通って稜線１１ａを超え、隣のシート面１２ａ、１２ｂ間の収納領域１３へ移る。
【００２２】
このため、光ファイバ１００は各シート面１２において通過用切欠き１４により位置決めされ、保管時および移動時にも光ファイバ１００は所定の位置からはみださずに収納されることになる。また、光ファイバ１００が稜線１１ａを超えて隣のシート面１２間の収納領域１３へ移行する際に、通過用切欠き１４を通過することにより、光ファイバ１００が稜線１１ａに押圧されて急激に曲げられるのを防止することができるので、光損失の増加を防止することができる。
【００２３】
図３（Ａ）（Ｂ）には、多数の光ファイバ収納具１０に収納されている光ファイバ１００を有する光モジュール１５が示されている。光モジュール１５は他の部材としてのケース１６を有しており、ケース１６の中に光ファイバ収納具１０の折り畳みシート１１に収納された光ファイバ１００を有している。各光ファイバ１００の一端にはコネクタ１７が取り付けられており、ケース１６に取り付けられている光レセプタクル１８に接続されている。ケース１６の一面には複数個の光レセプタクル１８が並んで設けられており、各光ファイバ１００は固定手段として作用するコネクタ１７を光レセプタクル１８に接合することにより、ケース１６に固定される。
【００２４】
図４には、途中に融着接続部１９を有する光ファイバ１００を、光ファイバ収納具１０に収納している状態を示している。このように、融着接続部１９が光ファイバ１００にある場合でも、問題なく収納することができる。また、光ファイバ収納具１０の一方の端部には保持手段としての止め部材２０が設けられており、他方の端部には止め部材２０に引っ掛けることにより光ファイバ収納具１０を閉じた状態で維持する保持手段としての引っ掛け部材２１が設けられている。従って、光ファイバ１００を収納した光ファイバ収納具１０は、折り目にしたがって折り畳んだ後、引っ掛け部材２１を止め部材２０に引っ掛けることにより、光ファイバ収納具１０を閉じた状態で維持することができ、容易に持ち運びや収納ができるようになっている。
【００２５】
図５には、収納領域１３を構成するシート面１２ａ、１２ｂに光ファイバ１００を固定する状態が示されている。各シート面１２ａ、１２ｂには、収納する光ファイバ１００の形状に沿った位置に複数個の光ファイバ係止片２２が設けられており、光ファイバ係止片２２により光ファイバ１００が折り畳みシート１１に固定される。各光ファイバ係止片２２は、折り畳みシート１１を打ち抜いて作成し、使用する際にはシート面１２ａ、１２ｂから起して使用する。すなわち、例えば折り畳みシート１１に打ち抜き加工によりＵ字状のスリットを入れておき、使用する際に収納領域側へ起すことにより光ファイバ係止片２２が形成される。
【００２６】
なお、光ファイバ係止片２２を多数打ち抜いて形成しておき、収納する光ファイバ１００の形状に沿って必要な光ファイバ係止片２２を起して使用することもできる。従って、収納する光ファイバ１００をシート面１２の所定位置に所定の形状で収納することができるので、収納時や移動時に光ファイバ１００の移動を防止することができる。また、使用しない光ファイバ係止片２２は起さない状態としておくことにより、光ファイバ１００の収納の邪魔にならない。
【００２７】
図６には、光ファイバの収納トレイである光コネクタトレイ２３に着脱自在に取り付けられている折り畳みシート１１を開いた状態を示している。また、図７には、折り畳みシート１１を畳んで光コネクタトレイ２３に収納している状態を示している。
この折り畳みシート１１は光コネクタトレイ２３の一端に着脱自在に取り付けられており、内部に光ファイバ１００を収納して開閉自在となっている。光コネクタトレイ２３は中央には光ファイバ１００を接続するための接続コネクタ２４が設けられており、この接続コネクタ２４は例えば光基地局に接続されている光ファイバ１００ａの端部に取り付けられている。
【００２８】
図８には、前述した光コネクタトレイ２３が収納されている光接続箱３０の全体を示す正面図が示されている。図９は、図８の光接続箱３０に取り付けられて光コネクタトレイ２３を収容するトレイ棚３１を示している。
【００２９】
図８に示すように、光接続箱３０は、架３２の中に、光ファイバ収納ユニット３３とコネクタ接続部３４とを備えている。
光ファイバ収納ユニット３３は、架３２に装着されるフレーム３５と、このフレーム３５の内壁に設けられたトレイ棚３１とを有している。トレイ棚３１には、光コネクタトレイ２３が収納される。コネクタ接続部３４は、例えば光伝送装置として用いられ、単心の光ファイバに装着されたコネクタを多数接続可能としている。
【００３０】
図８および図９に示すように、トレイ棚３１は、左右の両側端に支持梁３６が例えば７本ずつ形成されており、前方（図９中矢印Ａ方向）から光コネクタトレイ２３をスライド移動させて６つ収納することができる。また、通過心線トレイ３７を用いて、光ファイバケーブル１１０から分岐した通過心線３８を収納することが可能である。通過心線３８は、光ファイバケーブル１１０ａとして、他の光接続箱や基地局へと配線される。
なお、光ファイバケーブル１１０は、例えば８心の光ファイバ１００を１００本収納した８００心型のケーブルであり、このうちの１６０心（２０本）が光コネクタトレイ２３に収められる。
【００３１】
トレイ棚３１は、架３２の内側に収納されるべく、架３２に装着することが可能なフレーム３５の内壁に固定されている。フレーム３５の前方の両側端部には、ねじ止めするための切り欠きを有するマウント部３９が形成されており、フレーム３５を架３２に固定することができる。
また、フレーム３５の一方の側壁の内側には、光基地局内に導入した光ファイバケーブル１１０を把持して固定するためのケーブル固定部４０が設けられ、他方の側壁の内側には、単心に分岐した光ファイバ１００をガイドするためのクランプ４１が設けられている。
【００３２】
従って、図１０に示すように、例えばトレイ棚３１の最上段の光コネクタトレイ２３ａに導かれている光ファイバ１００ａに接続されている光ファイバ１００を、最下段の光コネクタトレイ２３ｂに導かれている光基地局からの別の光ファイバ１００ｂに接続替えする場合について説明する。
光ファイバ１００ａは、光基地局からの光ケーブル１１０から分岐されて、最上段の光コネクタトレイ２３ａの接続コネクタ２４に接続されている。この最上段の光コネクタトレイ２３に接続されている光ファイバ１００のコネクタ１７を接続コネクタ２４から外し、折り畳みシート１１を開いて、コネクタ接続部３４からの距離が遠くなる分折り畳みシート１１から光ファイバ１００を引き出す。折り畳みシート１１を閉じて、最下段の光コネクタトレイ２３に折り畳みシート１１を移動し、光ファイバ１００のコネクタ１７を最下段の接続コネクタ２４に接続する。
【００３３】
このように、例えば接続替えにより光ファイバ１００の長さが長く必要になっても、折り畳みシート１１に収納されている光ファイバ１００を引き出すことにより容易に対応できる。また、使用する光ファイバ１００の必要長さが短くなった場合には、余った光ファイバ１００を折り畳みシート１１に収容すればよいので、容易に対応することができる。
【００３４】
図１１には、別の実施形態に係る光ファイバ収納具５０が開いた状態が示されている。なお、すでに図１から図１０において説明した部位と同じ部位には同じ符号を付して、重複する説明を省略する。
この光ファイバ収納具５０では、折り畳みシート１１が光ファイバ１００の一端１００Ａ側の取り出し余長を従来と同様の方法で収納する収納箱５１の側壁に取り付けられている。光ファイバ１００を接続替えするための他端１００Ｂ側の余長は折り畳みシート１１に収納されている。なお、他端１００Ｂ側の光ファイバ１００には途中に融着接合部５２が設けられていてもよい。
図１２には、折り畳みシート１１を畳んだ状態が示されている。内部に光ファイバ１００を収納した折り畳みシート１１を畳んで収納箱５１に収納すると、収納箱５１の蓋の役目も果たすことができる。
【００３５】
以上、前述した光ファイバ収納具および光ファイバの収納方法によれば、光損失を増加することなく捩れない状態で光ファイバ１００を保持することができると共に、自由な長さで光ファイバ１００を取り出すことができる。
【００３６】
なお、本発明の光ファイバ収納具および光ファイバの収納方法は、前述した各実施形態に限定されるものでなく、適宜な変形、改良等が可能である。
例えば、前述した各実施形態では、折り畳みシート１１として、材質等については特に限定するものではないが、透明な材質を用いることにより、折り畳みシート１１を開くことなく、収納されている光ファイバ１００の状態をチェックすることができ便利である。
また、本発明に係る光ファイバ収納具は、上記実施の形態で用いた光ファイバ以外に、複数の光ファイバを並べて一括被覆をしたテープ心線や、光ファイバの外周に抗張力繊維や外皮を施した光コードにも適用することができる。
【００３７】
また、光ファイバ収納具１０を別の部材に取り付ける固定手段の例としてコネクタ１７を用いる場合について例示したが、このほか、折り畳みシート１１の１シート面１２をネジや粘着剤により取り付けるようにすることもできる。
【００３８】
【発明の効果】
以上、説明したように、本発明にかかる光ファイバ収納具および光ファイバの収納方法によれば、交互に蛇腹状に折り込まれた折り畳みシートの対向するシート面間に光ファイバを保持するので、光ファイバを確実に収納することができる。また、折り畳みシートを開いて所望の長さの光ファイバを引き出し、折り畳みシートを閉じることにより、所望の長さの光ファイバを取り出して使用することができる。また、折り畳みシートを畳んだ状態で、所望の場所へ容易に移動することができる。
【図面の簡単な説明】
【図１】本発明に係る光ファイバ収納具および光ファイバの収納方法の実施形態を示す要部断面図である。
【図２】（Ａ）は折り畳みシートを閉じた状態において通過用切欠きにかけられた光ファイバを示す正面図、（Ｂ）は折り畳みシートを開いた状態において通過用切欠きにかけられた光ファイバをしめす側面図である。
【図３】（Ａ）は光ファイバをコネクタを介してケースに取り付けた状態を示す平面図、（Ｂ）は（Ａ）におけるＢ方向から見た側面図である。
【図４】光ファイバ収納具に収納されている光ファイバが融着接合されている場合を示す斜視図である。
【図５】光ファイバ収納具に収納されている光ファイバを、光ファイバ係止片により固定している状態を示す斜視図である。
【図６】光コネクタトレイに取り付けられた折り畳みシートを開いた状態を示す平面図である。
【図７】光コネクタトレイに取り付けられた折り畳みシートを閉じた状態を示す平面図である。
【図８】光接続箱の正面図である。
【図９】トレイ棚の詳細を示す斜視図である。
【図１０】光ファイバの接続替えの例を示す正面図である。
【図１１】別の実施形態である収納トレイに取り付けた折り畳みシートを開けた状態を示す平面図である。
【図１２】図１１の光ファイバ収納具において、収納トレイに取り付けた折り畳みシートを閉じた状態を示す平面図である。
【図１３】従来より行われている光ファイバの巻き取り方を示す説明図である。
【符号の説明】
１０，５０　光ファイバ収納具
１１　折り畳みシート
１１ａ　稜線
１２　シート面
１４　切欠き
１６　ケース（他の部材）
１７　コネクタ（固定手段）
２０　止め部材（保持手段）
２１　引っ掛け部材（保持手段）
２２　光ファイバ係止片
２３　光コネクタトレイ（光ファイバ収納トレイ）
１００　光ファイバ
【図１】
2004029444.tif 000003
【図２】
2004029444.tif 000004
【図３】
2004029444.tif 000005
【図４】
2004029444.tif 000006
【図５】
2004029444.tif 000007
【図６】
2004029444.tif 000008
【図７】
2004029444.tif 000009
【図８】
2004029444.tif 000010
【図９】
2004029444.tif 000011
【図１０】
2004029444.tif 000012
【図１１】
2004029444.tif 000013
【図１２】
2004029444.tif 000014
【図１３】
2004029444.tif 000015